【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
基地局装置との間で無線通信される信号を送受信する無線送受信部と、
前記無線送受信部が受信した受信信号に基づいて有効な基地局装置を検索する基地局検索部と、  
前記無線送受信部の受信周波数帯を設定し、前記基地局検索部による基地局装置の検索処理を制御する検索制御部とを備え、
前記基地局検索部が、
前記無線送受信部で受信した受信信号の受信信号強度を測定する受信強度測定部と、
前記受信信号の品質を測定する受信品質測定部と、
前記受信強度測定部によって測定された受信信号強度が基準値以上であるか否かを判断する受信強度判断部と、
前記受信強度判断部によって受信信号強度が基準値以上であると判断された受信信号に係る通信方式が通信可能な通信方式であるか否かを判断する通信方式判断部と、
前記通信方式判断部によって通信可能な通信方式であると判断された受信信号の受信品質が基準値以上であるか否かを判断する受信品質判断部と、
前記受信品質判断部によって受信品質が基準値以上であると判断された受信信号から得られる受信情報に基づいて、当該受信信号を送信した基地局装置が利用可能である前記有効な基地局装置であるか否かを判断する基地局判断部とを備えるとともに、
前記検索制御部が、前記無線送受信部が受信可能な複数の受信周波数帯に対する検索処理を前記基地局検索部に一つずつ実行させ、前記基地局検索部によって前記有効な基地局装置が検索されなければ他の受信周波数帯に対する検索処理を実行させる一方、前記基地局検索部によって前記有効な基地局装置が検索されると当該基地局装置を通信相手に設定するとともに前記基地局検索部による検索処理を終了させることを特徴とする無線通信装置。
【請求項２】
基地局装置との間で無線通信される信号を送受信する無線送受信部と、
前記無線送受信部が受信した受信信号に基づいて有効な基地局装置を検索する基地局検索部と、
前記無線送受信部の受信周波数帯を設定し、前記基地局検索部による基地局装置の検索処理を制御する検索制御部とを備え、
前記基地局検索部が、
前記無線送受信部で受信した受信信号の受信信号強度を測定する受信強度測定部と、
前記受信信号の品質を測定する受信品質測定部と、
前記受信強度測定部によって測定された受信信号強度が基準値以上であるか否かを判断する受信強度判断部と、
前記受信強度判断部によって受信信号強度が基準値以上であると判断された受信信号に係る通信方式が通信可能な通信方式であるか否かを判断する通信方式判断部と、
前記通信方式判断部によって通信可能な通信方式であると判断された受信信号から得られる受信情報に基づいて、当該受信信号を送信した基地局装置が利用可能な基地局装置であるか否かを判断する基地局判断部と、
前記基地局判断部によって利用可能である前記有効な基地局装置であると判断された受信信号の受信品質が基準値以上である前記有効な基地局であるか否かを判断する受信品質判断部とを備えるとともに、
前記検索制御部が、前記無線送受信部が受信可能な複数の受信周波数帯に対する検索処理を前記基地局検索部に一つずつ実行させ、前記基地局検索部によって前記有効な基地局装置が検索されなければ他の受信周波数帯に対する検索処理を実行させる一方、前記基地局検索部によって前記有効な基地局装置が検索されると当該基地局装置を通信相手に設定するとともに前記基地局検索部による検索処理を終了させることを特徴とする無線通信装置。
【請求項３】
前記基地局検索部は、前記通信方式判断部によって通信可能な方式でないと判断された場合、あるいは、前記受信品質判断部によって受信品質が基準値よりも低い場合と判断された場合、もしくは、前記基地局判断部によって利用可能な基地局ではないと判断された場合に、前記設定した受信周波数帯において受信信号強度が基準値以上である電波が他に存在するか否かを判断し、存在する場合には前記通信方式判断部の処理から実行し、存在しない場合には他の受信周波数帯に対する検索処理を実行させることを特徴とする、請求項１または請求項２記載の無線通信装置。
【手続補正２】
【補正対象書類名】明細書
【補正対象項目名】０００８
【補正方法】変更
【補正の内容】
【０００８】
上記目的を達成するため、本発明では、無線通信装置を次のような構成とした。すなわち、
基地局装置との間で無線通信される信号を送受信する無線送受信部と、
前記無線送受信部が受信した受信信号に基づいて有効な基地局装置を検索する基地局検索部と、
前記無線送受信部の受信周波数帯を設定し、前記基地局検索部による基地局装置の検索処理を制御する検索制御部とを備え、
前記基地局検索部が、
前記無線送受信部で受信した受信信号の受信信号強度を測定する受信強度測定部と、
前記受信信号の品質を測定する受信品質測定部と、
前記受信強度測定部によって測定された受信信号強度が基準値以上であるか否かを判断する受信強度判断部と、
前記受信強度判断部によって受信信号強度が基準値以上であると判断された受信信号に係る通信方式が通信可能な通信方式であるか否かを判断する通信方式判断部と、
前記通信方式判断部によって通信可能な通信方式であると判断された受信信号の受信品質が基準値以上であるか否かを判断する受信品質判断部と、
前記受信品質判断部によって受信品質が基準値以上であると判断された受信信号から得られる受信情報に基づいて、当該受信信号を送信した基地局装置が利用可能である前記有効な基地局装置であるか否かを判断する基地局判断部とを備えるとともに、
前記検索制御部が、前記無線送受信部が受信可能な複数の受信周波数帯に対する検索処理を前記基地局検索部に一つずつ実行させ、前記基地局検索部によって前記有効な基地局装置が検索されなければ他の受信周波数帯に対する検索処理を実行させる一方、前記基地局検索部によって前記有効な基地局装置が検索されると当該基地局装置を通信相手に設定するとともに前記基地局検索部による検索処理を終了させることを特徴とする無線通信装置。
上記目的を達成するため、本発明では、無線通信装置を次のような構成とした。すなわち、
基地局装置との間で無線通信される信号を送受信する無線送受信部と、
前記無線送受信部が受信した受信信号に基づいて有効な基地局装置を検索する基地局検索部と、
前記無線送受信部の受信周波数帯を設定し、前記基地局検索部による基地局装置の検索処理を制御する検索制御部とを備え、
前記基地局検索部が、
前記無線送受信部で受信した受信信号の受信信号強度を測定する受信強度測定部と、
前記受信信号の品質を測定する受信品質測定部と、
前記受信強度測定部によって測定された受信信号強度が基準値以上であるか否かを判断する受信強度判断部と、
前記受信強度判断部によって受信信号強度が基準値以上であると判断された受信信号に係る通信方式が通信可能な通信方式であるか否かを判断する通信方式判断部と、
前記通信方式判断部によって通信可能な通信方式であると判断された受信信号から得られる受信情報に基づいて、当該受信信号を送信した基地局装置が利用可能な基地局装置であるか否かを判断する基地局判断部と、
前記基地局判断部によって利用可能である前記有効な基地局装置であると判断された受信信号の受信品質が基準値以上である前記有効な基地局であるか否かを判断する受信品質判断部とを備えるとともに、
前記検索制御部が、前記無線送受信部が受信可能な複数の受信周波数帯に対する検索処理を前記基地局検索部に一つずつ実行させ、前記基地局検索部によって前記有効な基地局装置が検索されなければ他の受信周波数帯に対する検索処理を実行させる一方、前記基地局検索部によって前記有効な基地局装置が検索されると当該基地局装置を通信相手に設定するとともに前記基地局検索部による検索処理を終了させることを特徴とする無線通信装置。
なお、上記本発明では、前記基地局検索部は、前記通信方式判断部によって通信可能な方式でないと判断された場合、あるいは、前記受信品質判断部によって受信品質が基準値よりも低い場合と判断された場合、もしくは、前記基地局判断部によって利用可能な基地局ではないと判断された場合に、前記設定した受信周波数帯において受信信号強度が基準値以上である電波が他に存在するか否かを判断し、存在する場合には前記通信方式判断部の処理から実行し、存在しない場合には他の受信周波数帯に対する検索処理を実行させることが好ましい。